(57)【特許請求の範囲】
【請求項１】
インバータ回路、共振コンデンサ及び加熱コイルによって形成される共振タンクを備えて、前記インバータ回路の出力周波数を変化させることによって共振タンクのインピーダンス値を増減させて出力電流を制御する誘導加熱調理器において、入力電流を検出して入力電流検出信号を出力する入力電流検出回路と、入力電圧を検出して入力電圧検出信号を出力する入力電圧検出回路と、前記入力電流検出信号と入力電圧検出信号とを乗算して乗算処理信号を出力する乗算処理回路と、加熱を開始させる加熱開始用スイッチと、加熱を停止させる加熱停止用スイッチと、加熱開始・停止指令リレー信号がＨｉｇｈレベルのとき演算を開始し前記乗算処理信号の値が電力設定回路で設定された予め定めた値となるように前記インバータ回路を制御する制御処理演算回路と、接点を有する停電検出用リレー及び停電のときに瞬時停電保持用抵抗器を介して前記停電検出用リレーのコイルに励磁電流を供給する瞬時停電保持用コンデンサとを設け、前記加熱開始用スイッチを押すと前記加熱開始・停止指令リレー信号をＨｉｇｈレベルにし前記加熱中の停電が予め定めた期間より短いときに前記励磁電流の供給を維持し前記接点を閉にして前記加熱開始・停止指令リレー信号のＨｉｇｈレベルを維持し、前記停電が長いときに前記励磁電流の供給が絶たれ前記接点を開にして前記加熱開始・停止指令リレー信号がＬｏｗレベルになり前記通電が復帰しても加熱開始・停止指令リレー信号のＬｏｗレベルを維持する加熱開始・停止指令リレー回路とを備えた誘導加熱調理器。
【請求項２】
インバータ回路、共振コンデンサ及び加熱コイルによって形成される共振タンクを備えて、前記インバータ回路の出力周波数を変化させることによって共振タンクのインピーダンス値を増減させて出力電流を制御する誘導加熱調理器において、入力電流を検出して入力電流検出信号を出力する入力電流検出回路と、入力電圧を検出して入力電圧検出信号を出力する入力電圧検出回路と、前記入力電流検出信号と入力電圧検出信号とを乗算して乗算処理信号を出力する乗算処理回路と、加熱を開始及び停止させる加熱開始停止用スイッチと、加熱開始・停止自動切換指令リレー信号がＨｉｇｈレベルのとき演算を開始し前記乗算処理信号の値が電力設定回路で設定された予め定めた値となるように前記インバータ回路を制御する制御処理演算回路と、接点を有する停電検出用リレー及び停電のときに瞬時停電保持用抵抗器を介して前記停電検出用リレーのコイルに励磁電流を供給する瞬時停電保持用コンデンサとを設け、前記加熱開始停止用スイッチを押すと前記接点が閉となり前記加熱開始・停止自動切換指令リレー信号はＨｉｇｈレベルになり、前記加熱開始停止用スイッチを再度押すと前記接点が開となり前記加熱開始・停止自動切換指令リレー信号はＬｏｗレベルになり、前記加熱中の停電が予め定めた期間より短いときに前記励磁電流の供給を維持し前記接点を閉にして前記加熱開始・停止自動切換指令リレー信号のＨｉｇｈレベルを維持し、前記停電が長いときに前記励磁電流の供給が絶たれ前記接点を開にして前記加熱開始・停止自動切換指令リレー信号がＬｏｗレベルになり前記通電が復帰しても前記加熱開始・停止自動切換指令リレー信号のＬｏｗレベルを維持する加熱開始・停止自動切換指令リレー回路とを備えた誘導加熱調理器。
【請求項３】
インバータ回路、共振コンデンサ及び加熱コイルによって形成される共振タンクを備えて、前記インバータ回路の出力周波数を変化させることによって共振タンクのインピーダンス値を増減させて出力電流を制御する誘導加熱調理器において、入力電流を検出して入力電流検出信号を出力する入力電流検出回路と、入力電圧を検出して入力電圧検出信号を出力する入力電圧検出回路と、前記入力電流検出信号と入力電圧検出信号とを乗算して乗算処理信号を出力する乗算処理回路と、加熱を開始させる加熱開始用スイッチと、加熱を停止させる加熱停止用スイッチと、加熱開始・停止指令ホトカプラ信号がＨｉｇｈレベルのとき演算を開始し前記乗算処理信号の値が電力設定回路で設定された予め定めた値となるように前記インバータ回路を制御する制御処理演算回路と、ホトトランジスタを有するホトカプラ及び停電のときに瞬時停電保持用抵抗器を介して前記ホトカプラのホトダイオードのホト電流を供給する瞬時停電保持用コンデンサとを設け、前記加熱中の停電が予め定めた期間より短いときに前記ホト電流の供給を維持し前記ホトトランジスタを通電し前記加熱開始・停止指令ホトカプラ信号のＨｉｇｈレベルを維持し、前記停電が長いときに前記ホト電流の供給が絶たれ前記ホトトランジスタを遮断して前記加熱開始・停止指令ホトカプラ信号がＬｏｗレベルになり前記通電が復帰しても前記加熱開始・停止指令ホトカプラ信号のＬｏｗレベルを維持する加熱開始・停止指令ホトカプラ回路とを備えた誘導加熱調理器。
【請求項４】
インバータ回路、共振コンデンサ及び加熱コイルによって形成される共振タンクを備えて、前記インバータ回路の出力周波数を変化させることによって共振タンクのインピーダンス値を増減させて出力電流を制御する誘導加熱調理器において、入力電流を検出して入力電流検出信号を出力する入力電流検出回路と、入力電圧を検出して入力電圧検出信号を出力する入力電圧検出回路と、前記入力電流検出信号と入力電圧検出信号とを乗算して乗算処理信号を出力する乗算処理回路と、加熱を開始及び停止させる加熱開始停止用スイッチと、加熱開始・停止自動切換指令ホトカプラ信号がＨｉｇｈレベルのとき演算を開始し前記乗算処理信号の値が電力設定回路で設定された予め定めた値となるように前記インバータ回路を制御する制御処理演算回路と、ホトトランジスタを有するホトカプラ及び停電のときに瞬時停電保持用抵抗器を介して前記ホトカプラのホトダイオードのホト電流を供給する瞬時停電保持用コンデンサとを設け、前記加熱開始停止用スイッチを押すと前記ホトトランジスタが導通して前記加熱開始・停止自動切換指令ホトカプラ信号はＨｉｇｈレベルになり、前記加熱開始停止用スイッチを再度押すと前記ホトトランジスタが遮断して前記加熱開始・停止自動切換指令ホトカプラ信号はＬｏｗレベルになり、前記加熱中の停電が予め定めた期間より短いときに前記ホト電流の供給を維持し前記ホトトランジスタを導通して前記加熱開始・停止自動切換指令ホトカプラ信号のＨｉｇｈレベルを維持し、前記停電が長いときに前記ホト電流の供給が絶たれ前記ホトトランジスタを遮断して前記加熱開始・停止自動切換指令ホトカプラ信号がＬｏｗレベルになり前記通電が復帰しても前記加熱開始・停止自動切換指令指令ホトカプラ信号のＬｏｗレベルを維持する加熱開始・停止自動切換指令ホトカプラ回路とを備えた誘導加熱調理器。
【請求項５】
インバータ回路、共振コンデンサ及び加熱コイルによって形成される共振タンクを備えて、前記インバータ回路の出力周波数を変化させることによって共振タンクのインピーダンス値を増減させて出力電流を制御する誘導加熱調理器において、入力電流を検出して入力電流検出信号を出力する入力電流検出回路と、入力電圧を検出して入力電圧検出信号を出力する入力電圧検出回路と、前記入力電流検出信号と入力電圧検出信号とを乗算して乗算処理信号を出力する乗算処理回路と、加熱を開始させる加熱開始用スイッチと、加熱を停止させる加熱停止用スイッチと、加熱開始・停止指令スイッチ信号がＨｉｇｈレベルのとき演算を開始し前記乗算処理信号の値が電力設定回路で設定された予め定めた値となるようにインバータ回路を制御する制御処理演算回路と、停電検出用アナログスイッチと停電のときに瞬時停電保持用抵抗器を介して前記停電検出用アナログスイッチにゲート電圧を供給する瞬時停電保持用コンデンサとを設け、前記停電が予め定めた期間より短いときに前記ゲート電圧の供給を維持し前記停電検出用アナログスイッチを通電して前記加熱開始・停止指令スイッチ信号のＨｉｇｈレベルを維持し、前記停電が長いときに前記ゲート電圧の供給が絶たれ前記停電検出用アナログスイッチを遮断して前記加熱開始・停止指令スイッチ信号はＬｏｗレベルになり前記停電が復帰しても前記加熱開始・停止指令スイッチ信号のＬｏｗレベルを維持する加熱開始・停止指令スイッチ回路とを備えた誘導加熱調理器。
【発明の詳細な説明】
【０００１】
【発明の属する技術分野】
本発明は、調理器の加熱中に生じる停電を判別できる機能を有した誘導加熱調理器に関するものである。
【０００２】
【従来の技術】
図２は、従来技術の誘導加熱調理器の電気接続図である。図２において、商用交流電源１の出力を整流して直流電力に変換する整流回路ＤＲ１及び上記整流回路ＤＲ１で直流に変換した電力を平滑する平滑コンデンサーＣ１を含む直流電源回路部ＤＣＰが形成されている。
【０００３】
入力電流検出回路ＩＤは、入力電流値を検出して入力電流検出信号Ｉｄを出力し、入力電圧検出回路ＩＶは、入力電圧値を検出して入力電圧検出信号Ｉｖを出力する。
【０００４】
スイッチング素子ＴＲＡ及びスイッチング素子ＴＲＢは、ハーフブリッジ方式のインバータ回路を形成し、加熱コイルＬと共振コンデンサＣ２及び共振コンデンサＣ３を接続して共振型インバータ回路部ＩＮＶＦを形成している。
【０００５】
スイッチング素子駆動回路ＳＤは、制御処理演算回路ＳＣからの制御処理演算信号Ｓｃの値に応じて、パルス幅の比率が一定でパルス周波数を変調するＰｕｌｓｅ  Ｆｒｅｑｕｅｎｃｙ  Ｍｏｄｕｒａｔｉｏｎ制御（以下、ＰＦＭ制御）をして、ハーフブリッジ方式のスイッチング素子ＴＲＡ、スイッチング素子ＴＲＢにスイッチング素子駆動信号ＴＲａ、スイッチング素子駆動信号ＴＲｂを交互に供給する。
【０００６】
乗算処理回路ＳＡは、入力電流検出信号Ｉｄと入力電圧検出信号Ｉｖとを乗算して乗算処理信号Ｓａを出力し、電力設定回路ＰＣは、電力設定信号Ｐｃを出力し、増幅回路ＯＰによって予め定めた値に増幅された電力指令信号Ｐａを比較演算回路ＣＯに入力する。
【０００７】
比較演算回路ＣＯは、電力指令信号Ｐａと乗算処理信号Ｓａとを比較演算して、比較演算信号ΔＩを出力する。制御処理演算回路ＳＣは、自動復帰しないねじり操作の切換スイッチである加熱スイッチＴＳを短絡することによって動作を開始し、比較演算信号ΔＩの値に応じて演算を行い、上記比較演算信号ΔＩの値が大きいときに制御処理演算信号Ｓｃの値を小さくし、逆に比較演算信号ΔＩの値が小さいときは制御処理演算信号Ｓｃの値は大きくする。
【０００８】
スイッチング素子駆動回路ＳＤは、制御処理演算回路ＳＣから入力される制御処理演算信号Ｓｃの値が小さいとき、ＰＦＭ制御の周波数を高くして加熱コイルＬと共振コンデンサＣ２及びＣ３からなる共振タンクのインピーダンス値を大きくして加熱コイルＬに流れる電流を小さくする。逆に制御処理演算信号Ｓｃの値が大きいときは、ＰＦＭ制御の周波数を低くして共振タンクのインピーダンス値を小さくして加熱コイルＬに流れる電流を大きくすることによって、加熱コイルＬに流れる電流制御を行う。
【０００９】
従来技術の誘導加熱調理器では、商用交流電源が停電すると加熱を停止し、その後、商用交流電源が通電を復帰すると再び加熱するものであった。
【００１０】
【発明が解決しようとする課題】
誘導加熱調理器は商用交流電源が停電すると加熱を停止する。また、調理人が停電中に誘導加熱調理器の加熱スイッチを切るのを忘れ、不在中に商用交流電源が通電を復帰すると加熱が再開始するために、加熱しすぎて料理が不良になり、さらに、上記状態を放置すると火災事故を起こす原因にもなっていた。
【００１１】
【課題を解決するための手段】
第１の発明は、インバータ回路、共振コンデンサ及び加熱コイルによって形成される共振タンクを備えて、前記インバータ回路の出力周波数を変化させることによって共振タンクのインピーダンス値を増減させて出力電流を制御する誘導加熱調理器において、入力電流を検出して入力電流検出信号を出力する入力電流検出回路と、入力電圧を検出して入力電圧検出信号を出力する入力電圧検出回路と、前記入力電流検出信号と入力電圧検出信号とを乗算して乗算処理信号を出力する乗算処理回路と、加熱を開始させる加熱開始用スイッチと、加熱を停止させる加熱停止用スイッチと、加熱開始・停止指令リレー信号がＨｉｇｈレベルのとき演算を開始し前記乗算処理信号の値が電力設定回路で設定された予め定めた値となるように前記インバータ回路を制御する制御処理演算回路と、接点を有する停電検出用リレー及び停電のときに瞬時停電保持用抵抗器を介して前記停電検出用リレーのコイルに励磁電流を供給する瞬時停電保持用コンデンサとを設け、前記加熱開始用スイッチを押すと前記加熱開始・停止指令リレー信号をＨｉｇｈレベルにし前記加熱中の停電が予め定めた期間より短いときに前記励磁電流の供給を維持し前記接点を閉にして前記加熱開始・停止指令リレー信号のＨｉｇｈレベルを維持し、前記停電が長いときに前記励磁電流の供給が絶たれ前記接点を開にして前記加熱開始・停止指令リレー信号がＬｏｗレベルになり前記通電が復帰しても加熱開始・停止指令リレー信号のＬｏｗレベルを維持する加熱開始・停止指令リレー回路とを備えた誘導加熱調理器である。
【００１２】
第２の発明は、インバータ回路、共振コンデンサ及び加熱コイルによって形成される共振タンクを備えて、前記インバータ回路の出力周波数を変化させることによって共振タンクのインピーダンス値を増減させて出力電流を制御する誘導加熱調理器において、入力電流を検出して入力電流検出信号を出力する入力電流検出回路と、入力電圧を検出して入力電圧検出信号を出力する入力電圧検出回路と、前記入力電流検出信号と入力電圧検出信号とを乗算して乗算処理信号を出力する乗算処理回路と、加熱を開始及び停止させる加熱開始停止用スイッチと、加熱開始・停止自動切換指令リレー信号がＨｉｇｈレベルのとき演算を開始し前記乗算処理信号の値が電力設定回路で設定された予め定めた値となるように前記インバータ回路を制御する制御処理演算回路と、接点を有する停電検出用リレー及び停電のときに瞬時停電保持用抵抗器を介して前記停電検出用リレーのコイルに励磁電流を供給する瞬時停電保持用コンデンサとを設け、前記加熱開始停止用スイッチを押すと前記接点が閉となり前記加熱開始・停止自動切換指令リレー信号はＨｉｇｈレベルになり、前記加熱開始停止用スイッチを再度押すと前記接点が開となり前記加熱開始・停止自動切換指令リレー信号はＬｏｗレベルになり、前記加熱中の停電が予め定めた期間より短いときに前記励磁電流の供給を維持し前記接点を閉にして前記加熱開始・停止自動切換指令リレー信号のＨｉｇｈレベルを維持し、前記停電が長いときに前記励磁電流の供給が絶たれ前記接点を開にして前記加熱開始・停止自動切換指令リレー信号がＬｏｗレベルになり前記通電が復帰しても前記加熱開始・停止自動切換指令リレー信号のＬｏｗレベルを維持する加熱開始・停止自動切換指令リレー回路とを備えた誘導加熱調理器である。
【００１３】
第３の発明は、インバータ回路、共振コンデンサ及び加熱コイルによって形成される共振タンクを備えて、前記インバータ回路の出力周波数を変化させることによって共振タンクのインピーダンス値を増減させて出力電流を制御する誘導加熱調理器において、入力電流を検出して入力電流検出信号を出力する入力電流検出回路と、入力電圧を検出して入力電圧検出信号を出力する入力電圧検出回路と、前記入力電流検出信号と入力電圧検出信号とを乗算して乗算処理信号を出力する乗算処理回路と、加熱を開始させる加熱開始用スイッチと、加熱を停止させる加熱停止用スイッチと、加熱開始・停止指令ホトカプラ信号がＨｉｇｈレベルのとき演算を開始し前記乗算処理信号の値が電力設定回路で設定された予め定めた値となるように前記インバータ回路を制御する制御処理演算回路と、ホトトランジスタを有するホトカプラ及び停電のときに瞬時停電保持用抵抗器を介して前記ホトカプラのホトダイオードのホト電流を供給する瞬時停電保持用コンデンサとを設け、前記加熱中の停電が予め定めた期間より短いときに前記ホト電流の供給を維持し前記ホトトランジスタを通電し前記加熱開始・停止指令ホトカプラ信号のＨｉｇｈレベルを維持し、前記停電が長いときに前記ホト電流の供給が絶たれ前記ホトトランジスタを遮断して前記加熱開始・停止指令ホトカプラ信号がＬｏｗレベルになり前記通電が復帰しても前記加熱開始・停止指令ホトカプラ信号のＬｏｗレベルを維持する加熱開始・停止指令ホトカプラ回路とを備えた誘導加熱調理器である。
【００１４】
第４の発明は、インバータ回路、共振コンデンサ及び加熱コイルによって形成される共振タンクを備えて、前記インバータ回路の出力周波数を変化させることによって共振タンクのインピーダンス値を増減させて出力電流を制御する誘導加熱調理器において、入力電流を検出して入力電流検出信号を出力する入力電流検出回路と、入力電圧を検出して入力電圧検出信号を出力する入力電圧検出回路と、前記入力電流検出信号と入力電圧検出信号とを乗算して乗算処理信号を出力する乗算処理回路と、加熱を開始及び停止させる加熱開始停止用スイッチと、加熱開始・停止自動切換指令ホトカプラ信号がＨｉｇｈレベルのとき演算を開始し前記乗算処理信号の値が電力設定回路で設定された予め定めた値となるように前記インバータ回路を制御する制御処理演算回路と、ホトトランジスタを有するホトカプラ及び停電のときに瞬時停電保持用抵抗器を介して前記ホトカプラのホトダイオードのホト電流を供給する瞬時停電保持用コンデンサとを設け、前記加熱開始停止用スイッチを押すと前記ホトトランジスタが導通して前記加熱開始・停止自動切換指令ホトカプラ信号はＨｉｇｈレベルになり、前記加熱開始停止用スイッチを再度押すと前記ホトトランジスタが遮断して前記加熱開始・停止自動切換指令ホトカプラ信号はＬｏｗレベルになり、前記加熱中の停電が予め定めた期間より短いときに前記ホト電流の供給を維持し前記ホトトランジスタを導通して前記加熱開始・停止自動切換指令ホトカプラ信号のＨｉｇｈレベルを維持し、前記停電が長いときに前記ホト電流の供給が絶たれ前記ホトトランジスタを遮断して前記加熱開始・停止自動切換指令ホトカプラ信号がＬｏｗレベルになり前記通電が復帰しても前記加熱開始・停止自動切換指令指令ホトカプラ信号のＬｏｗレベルを維持する加熱開始・停止自動切換指令ホトカプラ回路とを備えた誘導加熱調理器である。
【００１５】
第５の発明は、インバータ回路、共振コンデンサ及び加熱コイルによって形成される共振タンクを備えて、前記インバータ回路の出力周波数を変化させることによって共振タンクのインピーダンス値を増減させて出力電流を制御する誘導加熱調理器において、入力電流を検出して入力電流検出信号を出力する入力電流検出回路と、入力電圧を検出して入力電圧検出信号を出力する入力電圧検出回路と、前記入力電流検出信号と入力電圧検出信号とを乗算して乗算処理信号を出力する乗算処理回路と、加熱を開始させる加熱開始用スイッチと、加熱を停止させる加熱停止用スイッチと、加熱開始・停止指令スイッチ信号がＨｉｇｈレベルのとき演算を開始し前記乗算処理信号の値が電力設定回路で設定された予め定めた値となるようにインバータ回路を制御する制御処理演算回路と、停電検出用アナログスイッチと停電のときに瞬時停電保持用抵抗器を介して前記停電検出用アナログスイッチにゲート電圧を供給する瞬時停電保持用コンデンサとを設け、前記停電が予め定めた期間より短いときに前記ゲート電圧の供給を維持し前記停電検出用アナログスイッチを通電して前記加熱開始・停止指令スイッチ信号のＨｉｇｈレベルを維持し、前記停電が長いときに前記ゲート電圧の供給が絶たれ前記停電検出用アナログスイッチを遮断して前記加熱開始・停止指令スイッチ信号はＬｏｗレベルになり前記停電が復帰しても前記加熱開始・停止指令スイッチ信号のＬｏｗレベルを維持する加熱開始・停止指令スイッチ回路とを備えた誘導加熱調理器である。
【００２１】
【発明の実施の形態】
図１は、当該出願に係る発明の特徴を最も良く表す図である。後述する図３と同じなので、説明は図３で後述する。
【００２２】
本発明の実施の形態は、出願時請求項１の装置の発明であつて、図３の実施例１に示すように、インバータ回路、共振コンデンサＣ２、Ｃ３及び加熱コイルＬによって形成される共振タンクを備えて、上記インバータ回路の出力周波数を変化させることによって共振タンクのインピーダンス値を増減させて出力電流を制御する装置において、入力電流を検出して入力電流検出信号Ｉｄを出力する入力電流検出回路ＩＤと、入力電圧を検出して入力電圧検出信号Ｉｖを出力する入力電圧検出回路ＩＶと、上記入力電流検出信号Ｉｄと入力電圧検出信号Ｉｖとを乗算して乗算処理信号Ｓａを出力する乗算処理回路ＳＡと、加熱を開始させる加熱開始スイッチＳＷ１と、加熱を停止させる加熱停止スイッチＳＷ２と、加熱開始・停止指令リレー信号ＳＴｒがＨｉｇｈレベルのとき演算を開始し、上記乗算処理信号Ｓａの値が電力設定回路ＰＣで設定された予め定めた値となるようにインバータ回路を制御する制御処理演算回路ＳＣと、加熱開始用スイッチＳＷ１を押すと加熱開始・停止指令リレー信号ＳＴｒをＨｉｇｈレベルにし、長期停電期間Ｔ２の停電が発生すると、上記停電を検出して加熱開始・停止指令リレー信号ＳＴｒをＬｏｗレベルにして通電が復帰してもリセット処理を行わない限り加熱開始・停止指令リレー信号ＳＴｒをＬｏｗレベルに維持する加熱開始・停止指令リレー回路ＳＴＲとを備えた誘導加熱調理器である。
【００２３】
【実施例】
図３は、本発明の第１の実施例を示す誘導加熱調理器の電気接続図である。図３において、図２に示す従来技術の誘導加熱調理器の電気接続図と同一符号は、同一動作を行うので説明は省略して相違する動作について説明する。
【００２４】
加熱開始・停止指令リレー回路ＳＴＲは、加熱開始用スイッチＳＷ１、加熱停止用スイッチＳＷ２、反転回路ＩＮ、瞬時停電保持用抵抗器Ｒ４、瞬時停電保持用コンデンサＣ４及び停電検出用リレーＣＲによって形成されている。
【００２５】
加熱開始用スイッチＳＷ１は、押しボタンスイッチであり、押している間は接点間が導通経路を形成する。加熱停止用スイッチＳＷ２は、上記と同様に押しボタンスイッチであり押している間は接点間が開放する。停電検出用リレーＣＲは、リレー接点ＣＲ１ａが常開接点である。また、瞬時停電保持用コンデンサＣ４は、瞬時停電が発生したときに、瞬時停電保持用抵抗器Ｒ５を通して停電検出用リレーＣＲに励磁電流が予め定めた期間供給される。
【００２６】
図４は、図３に示す誘導加熱調理器の動作を説明するためのタイミングチャートであり、図３に示す誘導加熱調理器の動作を図４のタイミング図を用いて説明する。図４（Ａ）は、定電圧電源Ｖｃｃを示し、図４（Ｂ）は、加熱開始用スイッチＳＷ１を押して接点間が短絡している期間を示し、図４（Ｃ）は、加熱停止用スイッチＳＷ２を押して接点間が開放している期間を示し、図４（Ｄ）は、リレー信号Ｃｒを示し、図４（Ｅ）は、加熱開始・停止指令リレー信号ＳＴｒを示す。
【００２７】
図３に示す加熱開始用スイッチＳＷ１を図４（Ｂ）に示す時刻ｔ＝ｔ１に押して、加熱開始スイッチ信号Ｓｗ１の接点間を短絡させると停電検出用リレーＣＲが励磁されて常開接点であるリレー接点ＣＲ１ａを閉じる。上記リレー接点ＣＲ１ａが閉じると停電検出用リレーＣＲの励磁電流が加熱停止用スイッチＳＷ２を経由して流れ続けて、上記加熱開始用スイッチＳＷ１を押すのを止めてもリレー接点ＣＲ１ａは閉じたままになり、図４（Ｄ）に示すリレー信号ＣｒはＬｏｗレベルを維持する。反転回路ＩＮは上記リレー信号Ｃｒを反転して図４（Ｅ）に示す加熱開始・停止指令リレー信号ＳＴｒをＨｉｇｈレベルにする。
【００２８】
制御処理演算回路ＳＣは、加熱開始・停止指令リレー信号ＳＴｒがＨｉｇｈレベルになると演算を開始して、上記乗算処理信号Ｓａの値が電力設定回路ＰＣで設定された電力設定信号Ｐｃの値になるようにインバータ回路を制御する。
【００２９】
図４（Ａ）に示す時刻ｔ＝ｔ７において、安定化電源Ｖｃｃに瞬時停電期間Ｔ１の瞬時停電が発生しても、瞬時停電保持用コンデンサＣ４から瞬時停電保持用抵抗器Ｒ４を通して停電検出用リレーＣＲに励磁電流が供給されるために、上記瞬時停電が復帰すれば停電検出用リレーＣＲの励磁が維持されるので加熱開始・停止指令リレー信号ＳＴｒはＨｉｇｈレベルを維持して加熱は継続される。
【００３０】
図４に示す時刻ｔ＝ｔ２において、加熱停止用スイッチＳＷ２を押すと、押している間は接点間が開放するために、停電検出用リレーＣＲの励磁電流が流れなくなりリレー接点ＣＲ１ａが開放され、加熱開始・停止指令リレー信号ＳＴｒがＬｏｗレベルになり、制御処理演算回路ＳＣは動作を停止して加熱を終了する。
【００３１】
図４に示す時刻ｔ＝ｔ３において、再度加熱開始用スイッチＳＷ１を押すと、誘導加熱調理器は加熱を再開する。加熱中において安定化電源Ｖｃｃが何らかの理由によって長期停電期間Ｔ２の長期停電が発生すると、停電期間が長すぎるために瞬時停電保持用コンデンサＣ４から放電する停電検出用リレーＣＲの励磁電流が消滅して、停電検出用リレーＣＲの励磁が解除されてリレー接点ＣＲ１ａが開放してしまう。上記リレー接点ＣＲ１ａが開放されると加熱開始・停止指令リレー信号ＳＴｒがＬｏｗレベルになり制御処理演算回路ＳＣは動作を停止する。
【００３２】
上記長期停電が復帰してもリレー接点ＣＲ１ａが開放状態を維持するために、停電検出用リレーＣＲが励磁されないので、加熱開始・停止指令リレー信号ＳＴｒがＬｏｗレベルを維持する。その結果、通電が復帰しても勝手に加熱が再開始することはない。加熱を開始するには、加熱開始用スイッチＳＷ１を再度押して停電検出用リレーＣＲを励磁させて常開接点であるリレー接点ＣＲ１ａが閉じて、加熱開始・停止指令信号ＳＴｒをＨｉｇｈレベルにする必要がある。
【００３３】
図５は、本発明の第２の実施例を示す誘導加熱調理器の電気接続図である。図５において、図２に示す従来技術の誘導加熱調理器の電気接続図と同一符号は、同一動作を行うので説明は省略して相違する動作について説明する。
【００３４】
加熱開始・停止自動切換指令リレー回路ＳＲＧは、加熱開始停止用スイッチＳＷ３、第５の抵抗器Ｒ５、トランジスタ切換駆動回路ＴＧ、第２の反転回路ＩＮ２、加熱開始用トランジスタＴＲ１及び加熱停止用トランジスタＴＲ２並びに瞬時停電保持用抵抗器Ｒ４、瞬時停電保持用コンデンサＣ４、停電検出用リレーＣＲ、反転回路ＩＮ、時限回路ＴＭ及びアンド回路ＡＮＤによって形成されている。
【００３５】
加熱開始停止用スイッチＳＷ３は、押しボタンスイッチであり、押している間は接点間が導通経路を形成する。トランジスタ切換駆動回路ＴＧは、加熱開始停止用スイッチＳＷ３に応じてトランジスタ開始信号Ｔａ、トランジスタ停止信号Ｔｂを交互に出力する。ただし、長期停電が生じるとトランジスタ切換駆動回路ＴＧは初期化されて、電源復帰後の加熱開始停止用スイッチＳＷ３を再度押すとトランジスタ開始信号Ｔａから出力される。停電検出用リレーＣＲは、リレー接点ＣＲ１ａが常開接点である。また、瞬時停電保持用コンデンサＣ４は、瞬時停電が発生したときに、瞬時停電保持用抵抗器Ｒ５を通して停電検出用リレーＣＲに励磁電流が予め定めた期間供給する。時限回路ＴＭは、予め定めた期間Ｔ３の時限信号Ｔｍを出力する。
【００３６】
図６は、図５に示す第２の実施例の誘導加熱調理器の動作を説明するためのタイミングチャートであり、図５に示す第２の実施例の誘導加熱調理器の動作を図６のタイミング図を用いて説明する。図６（Ａ）は、定電圧電源Ｖｃｃを示し、図６（Ｂ）は、加熱開始用スイッチＳＷ１から出力される加熱開始スイッチ信号Ｓｗ１を示し、図６（Ｃ）は、トランジスタ切換駆動回路ＴＧから出力するトランジスタ開始信号Ｔａを示し、図６（Ｄ）は、トランジスタ切換駆動回路ＴＧから出力するトランジスタ停止信号Ｔｂを示す。図６（Ｅ）は、トランジスタ停止信号Ｔｂの反転信号Ｉｎ２を示し、図６（Ｆ）は、リレー信号Ｃｒを示し、図６（Ｇ）は、リレー信号Ｃｒの反転信号Ｉｎを示す。図６（Ｈ）は、時限信号Ｔｍを示し、図６（Ｉ）は、加熱開始・停止自動切換指令リレー信号ＳＲｇを示す。
【００３７】
図５に示す加熱開始用スイッチＳＷ１を、図６（Ｃ）に示す時刻ｔ＝ｔ１に押して、図６（Ｂ）に示す加熱開始スイッチ信号Ｓｗ１が出力されると、トランジスタ切換駆動回路ＴＧは、図６（Ｃ）にトランジスタ開始信号Ｔａを出力して加熱開始用トランジスタＴＲ１を導通させる。停電検出用リレーＣＲは、上記加熱開始用トランジスタＴＲ１が導通すると励磁され、常開接点であるリレー接点ＣＲ１ａを閉じる。このとき、加熱停止用トランジスタＴＲ２は導通状態に有り、上記リレー接点ＣＲ１ａが閉じると停電検出用リレーＣＲの励磁電流が加熱停止用トランジスタＴＲ２を経由して流れ続けて、上記加熱開始停止用スイッチＳＷ３を押す動作を止めてもリレー接点ＣＲ１ａは閉じたままになり、図６（Ｆ）に示すリレー信号ＣｒをＬｏｗレベルにして維持する。反転回路ＩＮは上記リレー信号Ｃｒを反転して、図６（Ｇ）に示すリレー反転信号Ｉｎを出力する。時限回路ＴＭはリレー反転信号Ｉｎが入力されると、図６（Ｈ）に示す予め定めた期間Ｔ３の時限信号Ｔｍを出力する。アンド回路ＡＮＤは、リレー反転信号Ｉｎと時限信号Ｔｍのアンド論理を取って、図６（Ｉ）に示す加熱開始・停止自動切換指令リレー信号ＳＲｇをＨｉｇｈレベルにして出力する。
【００３８】
制御処理演算回路ＳＣは、加熱開始・停止自動切換指令リレー信号ＳＲｇがＨｉｇｈレベルになると演算を開始して、上記乗算処理信号Ｓａの値が電力設定回路ＰＣで設定された電力設定信号Ｐｃの値になるようにインバータ回路を制御する。
【００３９】
図６（Ａ）に示す時刻ｔ＝ｔ７において、安定化電源Ｖｃｃに瞬時停電期間Ｔ１の瞬時停電が発生しても、瞬時停電保持用コンデンサＣ４から瞬時停電保持用抵抗器Ｒ５を通して停電検出用リレーＣＲに励磁電流が供給されて、上記瞬時停電が復帰するまで停電検出用リレーＣＲの励磁が維持されるので加熱開始・停止自動切換指令リレー信号ＳＲｇはＨｉｇｈレベルを維持して加熱は継続される。
【００４０】
図６（Ｃ）に示す時刻ｔ＝ｔ２において、加熱開始停止用スイッチＳＷ３を再度押すと、トランジスタ切換駆動回路ＴＧは、図６（Ｄ）にトランジスタ停止信号Ｔｂを出力して加熱停止用トランジスタＴＲ２を遮断させる。停電検出用リレーＣＲは、加熱停止用トランジスタＴＲ２が遮断すると励磁電流が流れなくなりリレー接点ＣＲ１ａを開放し、加熱開始・停止自動切換指令リレー信号ＳＲｇをＬｏｗレベルにして制御処理演算回路ＳＣは動作を停止して加熱を終了する。
【００４１】
図６に示す時刻ｔ＝ｔ３において、加熱開始停止用スイッチＳＷ３を再度押すと、誘導加熱調理器の加熱を再開始する。加熱中において安定化電源Ｖｃｃが何らかの理由によって長期停電期間Ｔ２の長期停電が発生すると、瞬時停電保持用コンデンサＣ４から停電検出用リレーＣＲに励磁電流が供給されるが停電期間が長すぎるために、停電検出用リレーＣＲが非励磁になってリレー接点ＣＲ１ａが開放する。上記リレー接点ＣＲ１ａが開放されると加熱開始・停止自動切換指令リレー信号ＳＲｇがＬｏｗレベルになり制御処理演算回路ＳＣは動作を停止する。
【００４２】
図６に示す時刻ｔ＝ｔ６において、長期停電が復帰してもリレー接点ＣＲ１ａが開放状態を維持するために、停電検出用リレーＣＲが励磁されないで加熱開始・停止自動切換指令リレー信号ＳＲｇがＬｏｗレベルを維持する。従って、通電が復帰しても勝手に加熱が再開始することはない。加熱を開始するには図６（Ｃ）に示す時刻ｔ＝ｔ４において、加熱開始停止用スイッチＳＷ３を再度押してトランジスタ開始信号Ｔａを出力して加熱開始用トランジスタＴＲ１を導通させて、停電検出用リレーＣＲを励磁し、常開接点であるリレー接点ＣＲ１ａを閉じさせ、加熱開始・停止自動切換指令リレー信号ＳＲｇをＨｉｇｈレベルにする必要がある。
【００４３】
図７は、本発明の第３の実施例を示す誘導加熱調理器の電気接続図である。図７は、図３に示す本発明の誘導加熱調理器の電気接続図に示す停電検出用リレーＣＲを停電検出用ホトカプラーＨＣに置き換えた発明であって、その他は同一である。従って、同一符号は同一動作を行うので説明は省略して相違する動作について説明する。
【００４４】
加熱開始・停止指令ホトカプラ回路ＳＴＣは、加熱開始用スイッチＳＷ１、加熱停止用スイッチＳＷ２、反転回路ＩＮ、第１の抵抗器Ｒ１、瞬時停電保持用抵抗器Ｒ４、瞬時停電保持用コンデンサＣ４及び停電検出用ホトカプラＨＣによって形成させている。
【００４５】
加熱開始用スイッチＳＷ１は、図３と同様の押しボタンスイッチであり、加熱停止用スイッチＳＷ２も図３と同様の押しボタンスイッチである。また、第１の抵抗器Ｒ１はホト電流値を制限する制限抵抗である。
【００４６】
図７において、加熱開始用スイッチＳＷ１を押すと停電検出用ホトカプラのホト電流が流れてホトトランジスタが導通する。上記ホトトランジスタが導通するとホト電流は加熱停止用スイッチＳＷ２を経由して流れ続け、加熱開始用スイッチＳＷ１を押すのを止めてもホトトランジスタが導通を維持し、加熱開始・停止指令ホトカプラ信号ＳＴｃがＨｉｇｈレベルを維持する。
【００４７】
制御処理演算回路ＳＣは、加熱開始・停止指令ホトカプラ信号ＳＴｃがＨｉｇｈレベルになると演算を開始して、上記乗算処理信号Ｓａの値が電力設定回路ＰＣで設定された電力設定信号Ｐｃの値になるようにインバータ回路を制御する。
【００４８】
誘導加熱調理器の加熱中において、安定化電源Ｖｃｃが何らかの理由によって瞬時停電が発生しても、瞬時停電保持用コンデンサＣ４から瞬時停電保持用抵抗器Ｒ４を通して停電検出用ホトカプラのホト電流が供給されるので、上記瞬時停電が復帰するとホトトランジスタの導通が維持されて加熱開始・停止指令ホトカプラ信号ＳＴｃがＨｉｇｈレベルを維持して加熱は継続される。また、長期停電が発生すると、瞬時停電保持用コンデンサＣ４から瞬時停電保持用抵抗器Ｒ４を通して停電検出用ホトカプラのホト電流が供給されるが停電期間が長すぎると、停電検出用ホトカプラのホト電流が供給できなくりホトトランジスタを遮断する。上記ホトトランジスタが遮断すると加熱開始・停止指令ホトカプラ信号ＳＴｃがＬｏｗレベルになり、制御処理演算回路ＳＣは動作を停止する。
【００４９】
通電が復帰しても停電検出用ホトカプラのホトトランジスタ側が遮断状態にあるために、停電検出用ホトカプラのホト電流が流れないで加熱開始・停止指令ホトカプラ信号ＳＴｃがＬｏｗレベルを維持する。従って、通電が復帰しても勝手に加熱が再開始することはない。加熱を開始するには、再度加熱開始用スイッチＳＷ１を押して停電検出用ホトカプラのホト電流を流してトランジスタを導通させて、加熱開始・停止指令ホトカプラ信号ＳＴｒをＨｉｇｈレベルする必要がある。
【００５０】
図８は、本発明の第４の実施例を示す誘導加熱調理器の電気接続図である。図８は、図５に示す本発明の第２の実施例の誘導加熱調理器の停電検出用リレーＣＲを停電検出用ホトカプラーＨＣに置き換えた発明であって、図６に示すタイミングチャートも図６（Ｆ）に示すリレー信号Ｃｒをホトカプラ信号Ｈｃに、図６（Ｉ）に示す加熱開始・停止自動切換指令リレー信号ＳＲｇを加熱開始・停止自動切換指令ホトカプラ信号ＳＨｇに置き換えたのみであって、動作は同じである。従って、同一符号は同一動作を行うので説明は省略して相違する動作について説明する。
【００５１】
加熱開始・停止自動切換指令ホトカプラ回路ＳＨＧは、加熱開始停止用スイッチＳＷ３、第１の抵抗器Ｒ１、第５の抵抗器Ｒ５、トランジスタ切換駆動回路ＴＧ、第２の反転回路ＩＮ２、加熱開始用トランジスタＴＲ１及び加熱停止用トランジスタＴＲ２並びに瞬時停電保持用抵抗器Ｒ４、瞬時停電保持用コンデンサＣ４、停電検出用ホトカプラＨＣ、反転回路ＩＮ、時限回路ＴＭ及びアンド回路ＡＮＤによって形成されている。
【００５２】
加熱開始停止用スイッチＳＷ３は、押しボタンスイッチであり、押している間は接点間が導通経路を形成する。トランジスタ切換駆動回路ＴＧは、加熱開始スイッチ信号Ｓｗ１に応じてトランジスタ開始信号Ｔａ、トランジスタ停止信号Ｔｂを交互に出力する。
【００５３】
図８において、加熱開始停止用スイッチＳＷ３を押すとトランジスタ切換駆動回路ＴＧはトランジスタ開始信号Ｔａを出力して加熱開始用トランジスタＴＲ１を導通させる。停電検出用ホトカプラＨＣは、上記加熱開始用トランジスタＴＲ１が導通するとホト電流が流れてホトトランジスタが導通する。このとき、加熱停止用トランジスタＴＲ２は導通状態に有り、ホト電流は加熱停止用トランジスタＴＲ２を経由して流れ続けて、上記加熱開始停止用スイッチＳＷ３を押すのを止めてもホトトランジスタは導通したままになり、ホトカプラ信号ＨｃはＬｏｗレベルを維持する。反転回路ＩＮは上記ホトカプラ信号Ｈｃを反転してホトカプラ反転信号Ｉｎを出力する。時限回路ＴＭはホトカプラ反転信号Ｉｎに応じて、予め定めた期間Ｔ３の時限信号Ｔｍを出力する。アンド回路ＡＮＤは、リレー反転信号Ｉｎと時限信号Ｔｍとのアンド論理を取って加熱開始・停止自動切換指令ホトカプラ信号ＳＨｇをＨｉｇｈレベルにして出力する。
【００５４】
制御処理演算回路ＳＣは、加熱開始・停止自動切換指令ホトカプラ信号ＳＨｇがＨｉｇｈレベルになると演算を開始して、上記乗算処理信号Ｓａの値が電力設定回路ＰＣで設定された電力設定信号Ｐｃの値になるようにインバータ回路を制御する。
【００５５】
図６と同様に時刻ｔ＝ｔ７において、安定化電源Ｖｃｃに瞬時停電期間Ｔ１の瞬時停電が発生しても、瞬時停電保持用コンデンサＣ４から瞬時停電保持用抵抗器Ｒ５を通して停電検出用ホトカプラＨＣにホト電流が供給されるので、上記瞬時停電が復帰するまでホトトランジスタの導通が維持されて加熱開始・停止自動切換指令ホトカプラ信号ＳＨｇはＨｉｇｈレベルを維持して加熱は継続される。
【００５６】
図６と同様に時刻ｔ＝ｔ２において、加熱開始停止用スイッチＳＷ３を再度押すと、トランジスタ切換駆動回路ＴＧは、トランジスタ停止信号Ｔｂを出力して加熱停止用トランジスタＴＲ２を遮断させる。停電検出用ホトカプラＨＣは、加熱停止用トランジスタＴＲ２が遮断するとホト電流が流れなくなりホトトランジスタを遮断し、加熱開始・停止自動切換指令ホトカプラ信号ＳＨｇをＬｏｗレベルにして制御処理演算回路ＳＣは動作を停止して加熱を終了する。
【００５７】
加熱開始停止用スイッチＳＷ３を図６と同様に時刻ｔ＝ｔ３において再度押すと、誘導加熱調理器の加熱を再開する。加熱中において安定化電源Ｖｃｃが何らかの理由によって長期停電期間Ｔ２の長期停電が発生すると、瞬時停電保持用コンデンサＣ４から停電検出用ホトカプラＨＣにホト電流が供給されるが停電期間が長すぎるために、ホト電流が供給できなくりホトトランジスタを遮断する。上記ホトトランジスタが遮断すると、加熱開始・停止自動切換指令ホトカプラ信号ＳＨｇがＬｏｗレベルになり制御処理演算回路ＳＣは動作を停止する。
【００５８】
図６と同様に時刻ｔ＝ｔ６において、長期停電が復帰しても停電検出用ホトカプラのホトトランジスタが遮断状態にあるために、停電検出用ホトカプラのホト電流が流ないで加熱開始・停止自動切換指令ホトカプラ信号ＳＨｇがＬｏｗレベルを維持する。従って、安定化電源Ｖｃｃが復帰しても勝手に加熱が再開始することはない。加熱を開始するには、加熱開始停止用スイッチＳＷ３を再度押してトランジスタ切換駆動回路ＴＧのトランジスタ開始信号Ｔａを出力し、加熱開始用トランジスタＴＲ１を導通させて、加熱開始・停止自動切換指令ホトカプラ信号ＳＨｇをＨｉｇｈレベルにする必要がある。
【００５９】
図９は、本発明の第５の実施例を示す誘導加熱調理器の電気接続図である。図９において、図２に示す従来技術の誘導加熱調理器の電気接続図と同一符号は、同一動作を行うので説明は省略して相違する動作について説明する。
【００６０】
加熱開始・停止指令スイッチ回路ＳＴＡは、加熱開始用スイッチＳＷ１、加熱停止用スイッチＳＷ２、第２の抵抗器Ｒ２、第３の抵抗器Ｒ３、瞬時停電保持用抵抗器Ｒ４，瞬時停電保持用コンデンサＣ４及び停電検出用アナログスイッチＡＳによって形成させている。
【００６１】
加熱開始・停止指令スイッチ信号ＳＴａは、第２の抵抗器Ｒ２及び第３の抵抗器Ｒ３の予め定めた値によって制御処理演算回路ＳＣを動作させる最適な信号値に設定する。
【００６２】
図９において、加熱開始用スイッチＳＷ１を押すとアナログスイッチ信号ＡｓがＬｏｗレベルからＨｉｇｈレベルになる。上記アナログスイッチ信号ＡｓがＨｉｇｈレベルになると停電検出用アナログスイッチＡＳは導通して加熱開始・停止指令スイッチ信号ＳＴａをＨｉｇｈレベルする。上記加熱開始・停止指令スイッチ信号ＳＴａがＨｉｇｈレベルに確定した後に、加熱開始用スイッチＳＷ１を離してもアナログスイッチ信号ＡｓがＨｉｇｈレベルを維持するので、加熱開始・停止指令スイッチ信号ＳＴａもＨｉｇｈレベルを維持することができる。
【００６３】
制御処理演算回路ＳＣは、加熱開始・停止指令スイッチ信号ＳＴａがＨｉｇｈレベルになると制御処理演算回路ＳＣが演算を開始して、上記乗算処理信号Ｓａの値が電力設定回路ＰＣで設定された電力設定信号Ｐｃの値になるようにインバータ回路を制御する。
【００６４】
誘導加熱調理器の加熱中において、安定化電源Ｖｃｃが何らかの理由によって瞬時停電が発生しても瞬時停電保持用コンデンサＣ４から瞬時停電保持用抵抗器Ｒ４を通して電流が供給されるため、アナログスイッチ信号Ａｓはｈｉｇｈレベルを維持でき、瞬時停電が復帰しても加熱は継続される。
【００６５】
誘導加熱調理器の加熱中に何らかの理由によって長期停電が発生すると、加熱開始・停止指令スイッチ信号ＳＴａがＨｉｇｈレベルからＬｏｗレベルに変化して、制御処理演算回路ＳＣは動作を停止する。また、瞬時停電保持用コンデンサＣ４から瞬時停電保持用抵抗器Ｒ４を通して電流が供給されるが停電期間が長すぎるためにアナログスイッチ信号Ａｓもｈｉｇｈレベルが維持できなくなる。
【００６６】
通電が復帰しても停電検出用アナログスイッチＡＳが遮断状態にあるために、加熱開始・停止指令スイッチ信号ＳＴａもＬｏｗレベルを維持する。従って、勝手に加熱が再開始することはない。加熱を開始するには、再度加熱開始用スイッチＳＷ１を押してアナログスイッチ信号ＡｓをＨｉｇｈレベルにして、停電検出用アナログスイッチＡＳを導通させて加熱開始・停止指令スイッチ信号ＳＴａをＨｉｇｈレベルにする処理が必要である。
【００６７】
【発明の効果】
本発明によれば、誘導加熱調理器が停電によって加熱を停止し、調理人が停電中に誘導加熱調理器の加熱スイッチを切るのを忘れて不在中に通電が復帰しても勝手に加熱が再開始することがないので、加熱しすぎて料理が不良になることはなくなる。また、長時間加熱を放置することもなくなるのて火災事故を防止することもできる。
【図面の簡単な説明】
【図１】当該出願に係る発明の特徴を最もよく表す図である。
【図２】従来技術の誘導加熱調理器の電気接続図である。
【図３】本発明の第１の実施例を示す誘導加熱調理器の電気接続図である。
【図４】図３に示す誘導加熱調理器の動作を説明するためのタイミングチャートである。
【図５】本発明の第２の実施例を示す誘導加熱調理器の電気接続図である。
【図６】図５に示す第２の実施例を示す誘導加熱調理器の動作を説明するためのタイミングチャートである。
【図７】本発明の第３の実施例を示す誘導加熱調理器の電気接続図である。
【図８】本発明の第４の実施例を示す誘導加熱調理器の電気接続図である。
【図９】本発明の第５の実施例を示す誘導加熱調理器の電気接続図である。
【符号の説明】
１            商用交流電源
２            鍋
３            トッププレート
ＡＳ          停電検出用アナログスイッチ
ＡＮＤ        アンド回路
ＣＯ          比較演算回路
ＣＲ          停電検出用リレ−
Ｃ１          平滑コンデンサ
Ｃ２          共振コンデンサ
Ｃ３          共振コンデンサ
Ｃ４          瞬時停電保持用コンデンサ
ＣＲ１ａ      リレー接点
ＤＣＰ        直流電源回路部
ＤＲ１        整流回路
ＩＤ          入力電流検出回路
ＩＶ          入力電圧検出回路
ＩＮ          反転回路
ＩＮ２        第２の反転回路
ＩＮＶＦ      共振型インバータ回路部
ＨＣ          停電検出用ホトカプラー
Ｌ            加熱コイル
ＯＰ          増幅回路
ＰＣ          電力設定回路
Ｒ１          第１の抵抗器
Ｒ２          第２の抵抗器
Ｒ３          第３の抵抗器
Ｒ４          瞬時停電保持用抵抗器
Ｒ５          第５の抵抗器
ＳＡ          乗算処理回路
ＳＣ          制御処理演算回路
ＳＤ          スイッチング素子駆動回路
ＳＷ１        加熱開始用スイッチ
ＳＷ２        加熱停止用スイッチ
ＳＷ３        加熱開始停止用スイッチ
ＳＨＧ        加熱開始・停止自動切換指令ホトカプラ回路
ＳＲＧ        加熱開始・停止自動切換指令リレー回路
ＳＴＡ        加熱開始・停止指令スイッチ回路
ＳＴＲ        加熱開始・停止指令リレー回路
ＳＴＣ        加熱開始・停止指令ホトカプラ回路
ＴＧ          トランジスタ切換駆動回路
ＴＭ          時限回路
ＴＳ          加熱スイッチ
ＴＲＡ        スイッチング素子
ＴＲＢ        スイッチング素子
ＴＲ１        加熱開始用トランジスタ
ＴＲ２        加熱停止用トランジスタ
Ａｓ          アナログスイッチ信号
Ｃｒ          リレー信号
Ｉｄ          入力電流検出信号
Ｉｖ          入力電圧検出信号
ΔＩ          比較演算信号
Ｈｃ          ホトカプラ信号
Ｐａ          電力指令信号
Ｐｃ          電力設定信号
Ｓａ          乗算処理信号
Ｓｃ          制御処理演算信号
ＳＨｇ        加熱開始・停止自動指令ホトカプラ信号
ＳＲｇ        加熱開始・停止自動切換指令リレー信号
ＳＴａ        加熱開始・停止指令スイッチ信号
ＳＴｒ        加熱開始・停止指令リレー信号
ＳＴｃ        加熱開始・停止指令ホトカプラ信号
Ｓｗ１        加熱開始スイッチ信号
Ｓｗ２        加熱停止スイッチ信号
Ｔａ          トランジスタ開始信号
Ｔｂ          トランジスタ停止信号
ＴＲａ        スイッチング素子駆動信号
ＴＲｂ        スイッチング素子駆動信号
Ｔ１          瞬時停電期間
Ｔ２          長期停電期間
【図１】
0004087110.tif 000002
【図２】
0004087110.tif 000003
【図３】
0004087110.tif 000004
【図４】
0004087110.tif 000005
【図５】
0004087110.tif 000006
【図６】
0004087110.tif 000007
【図７】
0004087110.tif 000008
【図８】
0004087110.tif 000009
【図９】
0004087110.tif 000010